(57)【特許請求の範囲】
【請求項１】
便器本体と、
前記便器本体を縦面に取り付ける支持フレームと、を備え、
前記支持フレームは、前記縦面に固定される後側フレームと、前記後側フレームに連結されて前記便器本体を支持する前側フレームと、を有し、
前記後側フレームは、前記縦面に固定される固定体と、前記固定体から前方に向かって突出する左右方向に離れた一対の後側支持部と、を有し、
前記前側フレームは、前記便器本体を支持し、後方に向かって突出する一対の前側支持部と、前記前側支持部を連結する前側連結部と、を有し、
前記一対の前側支持部は前記一対の後側支持部に分割可能に連結されている、便器。
【請求項２】
前記便器本体は、上面が開口するボウル部と、前記ボウル部の上端部に設けられフランジ状をした横面部を有するリム部と、前記リム部に接続され前記ボウル部の側方を覆うスカートと、前記横面部の下方に位置する横片と、を一体に有し、
前記前側連結部は、前記横面部と前記スカートと前記横片とで囲まれる空間に挿通されている、請求項１記載の便器。
【請求項３】
前記一対の前側支持部の各々の上面は平坦である、請求項１または２記載の便器。
【請求項４】
前記支持フレームは、前記一対の後側支持部を一対一で対応して補強する一対の補強部を備え、
前記一対の補強部の各々は、前記一対の後側支持部のうちの対応する後側支持部と前記固定体とにわたって形成されている、請求項１〜３のいずれか一項に記載の便器。
【請求項５】
前記一対の補強部の各々は、前記対応する後側支持部と前記固定体とを連結した筋交いである、請求項４記載の便器。
【請求項６】
前記前側支持部は、平坦な上面を含む角パイプにより構成され、
前記後側支持部は、縦片と、前記縦片の上下端部から突出する上横片および下横片を備え、前記前側支持部の高さが、前記上横片と前記下横片の間隔と同じかそれより所定長さ小さく形成される、請求項１〜５のいずれか一項に記載の便器。
【請求項７】
前記前側支持部に前側固定部が設けられ、
前記後側支持部に後側固定部が設けられ、
前記前側固定部と前記後側固定部は、一方が雌ねじを有し、他方が貫通孔を有し、前記貫通孔を挿通するボルトが前記雌ねじに締結されている、請求項１〜６のいずれか一項に記載の便器。
【発明の詳細な説明】
【技術分野】
【０００１】
本発明は、便器に関する。
【背景技術】
【０００２】
特許文献１には、壁掛け便器が開示されている。特許文献１記載の壁掛け便器は、壁面に固定されるブラケットと、ブラケットに支持される便器とを備えている。
【先行技術文献】
【特許文献】
【０００３】
【特許文献１】特開平１０−２７３９２７号公報
【発明の概要】
【発明が解決しようとする課題】
【０００４】
ところで、この壁掛け便器にあっては、ブラケットは、縦面に固定される部分と便器を支持する部分とが一体であるため、便器を壁に設置する作業の自由度が低く、作業がしにくいものであった。
【０００５】
本発明の目的は、縦面への取り付けがしやすい便器を提供することである。
【課題を解決するための手段】
【０００６】
本発明に係る一態様の便器は、便器本体と、前記便器本体を縦面に取り付ける支持フレームと、を備える。前記支持フレームは、前記縦面に固定される後側フレームと、前記後側フレームに連結されて前記便器本体を支持する前側フレームと、を有する。前記後側フレームは、前記縦面に固定される固定体と、前記固定体から前方に向かって突出する左右方向に離れた一対の後側支持部と、を有する。前記前側フレームは、前記便器本体を支持し、後方に向かって突出する一対の前側支持部と、前記前側支持部を連結する前側連結部と、を有する。前記一対の前側支持部は前記一対の後側支持部に連結されていることを特徴とする。
【発明の効果】
【０００７】
本発明の便器ににあっては、縦面への取り付けがしやすいものである。
【図面の簡単な説明】
【０００８】
【図１】図１は、本発明に係る一実施形態の便器の斜視図である。
【図２】図２は、同上の便器の支持フレームの斜視図である。
【図３】図３Ａは、同上の便器の水平断面図である。図３Ｂは、同上の便器の支持部の長手方向に垂直な断面図である。
【図４】図４は、同上の支持フレームの分解斜視図である。
【図５】図５Ａは、同上の支持フレームのうちの前側フレームの斜視図である。図５Ｂは、同上の前側フレームの断面図である。
【図６】図６Ａは、同上の前側フレームの前側固定部が設けられた部分の斜視図である。図６Ｂは、同上の前側フレームの前側固定部が設けられた部分の断面図である。図６Ｃは、同上の前側フレームの前側固定部が設けられた部分の他例の断面図である。
【図７】図７Ａは、同上の支持フレームのうちの後側フレームの斜視図である。図７Ｂは、同上の後側フレームの後側支持部の断面図である。
【図８】図８は、同上の便器の鉛直面に沿った断面図である。
【図９】図９Ａは、同上の便器本体の製造を説明する、前側連結部を挿入する前の断面図である。図９Ｂは、同上の便器本体の製造を説明する、前側連結部を挿入した後の断面図である。
【図１０】図１０は、同上の便器本体の支持フレームへの取り付けを説明する分解斜視図である。
【図１１】図１１は、変形例１の支持フレームの斜視図である。
【図１２】図１２Ａは、変形例２−１の載置部の周辺の断面図である。図１２Ｂは、変形例２−２の載置部の周辺の断面図である。図１２Ｃは、変形例２−３の載置部の周辺の断面図である。
【図１３】図１３Ａは、変形例３−１の載置部の周辺の断面図である。図１３Ｂは、変形例３−２の載置部の周辺の断面図である。
【図１４】図１４Ａは、変形例４−１の載置部の周辺の断面図である。図１４Ｂは、変形例４−２の載置部の周辺の断面図である。図１４Ｃは、変形例４−３の載置部の周辺の断面図である。図１４Ｄは、変形例４−４の載置部の周辺の断面図である。
【図１５】図１５Ａは、変形例４−５の載置部の周辺の断面図である。図１５Ｂは、変形例４−６の載置部の周辺の断面図である。
【図１６】図１６Ａは、変形例５−１の載置部の周辺の断面図である。図１６Ｂは、変形例５−２の載置部の周辺の断面図である。
【図１７】図１７Ａは、変形例５−１の突起部を下方から見た図である。図１７Ｂは、図１７Ａの他例の突起部を下方から見た図である。
【図１８】１７Ａのさらに他例の突起部を下方から見た図である。
【図１９】図１９Ａは、変形例５−３の載置部の周辺の断面図である。図１９Ｂは、変形例５−４の載置部の周辺の断面図である。
【図２０】図２０は、変形例６の便器の水平断面図である。
【図２１】図２１は、変形例７−１の支持部とリム部との分解斜視断面図である。
【図２２】図２２は、変形例７−２の支持部とリム部との分解斜視断面図である。
【図２３】図２３Ａは、変形例８−１の載置部の周辺の断面図である。図２３Ｂは、変形例８−２の載置部の周辺の断面図である。
【図２４】図２４は、変形例９の便器の鉛直面に沿った断面図である。
【発明を実施するための形態】
【０００９】
本発明は、便器に関し、特に、壁等の縦面に取り付けられた壁掛け便器に関する。以下、本発明の実施形態について添付図面に基づいて説明する。
【００１０】
以下の説明においては、便器１に着座したユーザーを基準に前後方向を決定する。すなわち、図１に示すように、縦面から便器１が突出した方向を前向きとし、その反対方向を後向きとする。また、前向きおよび後向きに平行な方向を前後方向といい、前後方向に直交しかつ水平面に沿う方向を左右方向という場合がある。
【００１１】
（１）概要
本実施形態の便器１は、トイレルームの壁面７０などの縦面に取り付けられる便器１である。便器１は、床面７１から離れて配置されており、便器１の下方に位置する床面７１の清掃が容易となるように構成されている。一方、本実施形態の便器１は、床面７１から離れた位置に配置されているため、ユーザーが着座した場合などの荷重に耐えるべく、便器本体３が、縦面に固定された支持フレーム２によって支持される。便器１は、便器本体３と、支持フレーム２とを備えている。
【００１２】
支持フレーム２は、図２に示すように、固定体２１と、固定体２１から前方に突出する支持体２０とを備えている。支持体２０は、前後方向に延びた一対の支持部２４と、一対の支持部２４の前端同士を連結する前側連結部２５とを含む。支持フレーム２の一対の支持部２４には、図３Ａ，３Ｂに示すように、便器本体３の一対の載置部４が一対一で支持されるように構成されている。この載置部４において、支持部２４により支持される領域を載置領域４１とする。載置領域４１は、便器本体３の前後方向に延びている。本実施形態の載置領域４１は、リム部３３の裏面の一部からなる。後述するが、本実施形態の支持フレーム２は、図２に示すように、前側フレーム２Ａと、後側フレーム２Ｂとに分割されている。
【００１３】
本実施形態の便器本体３の載置領域４１は、前後方向に延びており、載置領域４１の全長にわたって支持フレーム２により支持されている。このため、便器本体３に掛かる下向きの荷重は、前後方向に延びた載置領域４１を介して、支持フレーム２により受けられる。したがって、本実施形態の便器１は、便器本体３の自重とユーザーが着座した場合のユーザーの体重とからなる荷重を、一対の支持部２４に対して、分布荷重として作用させることができる。この結果、本実施形態の便器１は、床面７１から離れた位置に配置されていても、ユーザーが着座した場合などの荷重に耐えることができるような構造となっている。
【００１４】
（２）詳細
以下、本実施形態の便器１について詳しく説明する。ただし、以下に説明する構成は、本発明の一例に過ぎず、本発明は下記実施形態に限定されない。本発明に係る技術的思想を逸脱しない範囲であれば、設置現場の環境や仕様等に応じて、下記実施形態からの種々の変更が可能である。
【００１５】
（２．１）支持フレーム
支持フレーム２は、便器本体３を縦面に取り付ける。支持フレーム２は、一定以上の剛性を有する部材により構成されており、例えば、鉄，ステンレス，アルミ等の金属や、カーボン、木材等により構成される。支持フレーム２は、図２に示すように、固定体２１と、支持体２０とを備えている。この支持体２０は、一対の支持部２４と、前側連結部２５と、一対の補強部８とを有している。
【００１６】
固定体２１は、縦面に固定されるように構成されている。ここで、縦面は、本実施形態においてトイレルームの壁面７０により構成される。縦面は、本実施形態では鉛直面であるが、厳密な鉛直面だけを意味するのではなく、上下方向および左右方向に沿った面であれば、「縦面」の範疇に含まれる。つまり、ここでいう縦面には、やや前傾した面も含まれるし、やや後傾した面も含まれる。また、縦面は平面でなくてもよく、凹凸面であってもよい。
【００１７】
固定体２１は、壁面７０に沿って配置される一対の縦体２２と、一対の縦体２２を連結する横体２３とを備えている。一対の縦体２２は、上下方向に延びた中空パイプにより構成されており、左右方向に離れている。横体２３は、一対の縦体２２の上端部間に配置され、一対の縦体２２に固定されている。横体２３は、固定板２３２と、固定板２３２の上下方向の両端から前方に突出した一対の補強片２３３とを備え、断面略Ｃ字状に形成されている。一対の補強片２３３は、固定板２３２の変形を抑制する。固定板２３２は、固着具により壁面７０にねじ止めされる。なお、ここでいう固着具としては、ビスやボルトなどのねじ具７３（図１参照）や，リベット，釘などが例示できる。ねじ具７３は、少なくとも、外周に雄ねじが形成された軸部を有するが、頭部はなくてもよい。また、平ワッシャーやスプリングワッシャーは、必要に応じて適宜用いられる。
【００１８】
固定板２３２は、壁面７０に沿って固定される。固定板２３２は、左右方向に延びて帯状に形成された部分である。固定板２３２は、板状に形成されている。
【００１９】
固定板２３２には、複数の固着具挿通孔２３１が設けられている。この複数の固着具挿通孔２３１には、壁面７０への固定に用いられる複数の固着具が一対一で通される。各固着具挿通孔２３１の周縁部（開口周縁部２３４）は、固定板２３２における複数の開口周縁部２３４以外の箇所に比べて厚く形成されている。この開口周縁部２３４の厚さは、例えば、固着具がねじ具の場合、雄ねじのねじ山の１ピッチの長さよりも厚く形成される。これにより、固着具挿通孔２３１の内周面に対して、少なくとも、２つ以上の雄ねじのねじ山が当たるように構成されている。また、開口周縁部２３４の外径は、固着具のワッシャーの外径と同じか、あるいは当該ワッシャーよりも大きく形成されている。
【００２０】
固着具挿通孔２３１の径（内径）は、固着具の軸部の外径と略同じとなるように形成されている。これにより、支持フレーム２を壁面７０に取り付けた状態では、固着具挿通孔２３１の内周面と、固着具の軸部の外周面とが、接触または近接対向し、固着具挿通孔２３１と固着具の軸部との間には何も介在しないように構成されている。
【００２１】
ここで、一般に、陶器からなる壁掛け便器にあっては、壁面と陶器からなる便器本体とがねじ具で連結されている。この壁掛け便器においては、便器本体に対して、ねじ具のねじ山が接触しないようにするために、ねじ具の軸部と便器本体の挿通孔の内周面との間に緩衝材を介在することが行われている。このため、陶器からなる壁掛け便器では、ユーザーが便座に着座すると、緩衝材が弾性変形することで、便器本体がやや沈み込むように移動する。
【００２２】
これに対し、本実施形態の便器１は、破損しにくい支持フレーム２が壁面７０と便器本体３との間に介在しており、壁面７０にねじ止めされるねじ具７３のねじ山に接触する箇所が、支持フレーム２となるように構成されている。このため、便器本体３に荷重が掛かっても、破損や割れが生じにくい。したがって、本実施形態の便器１にあっては、固着具挿通孔２３１の径を、固着具の外径と略同じとなるように形成することで、ユーザーが着座した際の沈み込みを抑制できる。
【００２３】
また、本実施形態の開口周縁部２３４は、開口周縁部２３４以外の箇所に比べて厚く形成されている。言い換えると、固着具の軸部と固定板２３２との接触面積が、一定の面積以上となるように構成されている。これにより、固定板２３２として、できる限り薄い材料を用いて、材料費を削減しながらも、固着具から固定板２３２に掛かる外力を分散させることができ、固定板２３２の破壊を抑制できる。
【００２４】
支持体２０は、固定体２１から前方に向かって突出している。支持体２０は、便器本体３を支持する。支持体２０は、一対の支持部２４と、前側連結部２５と、一対の補強部８とを含む。
【００２５】
一対の支持部２４は、便器本体３を支持する。一対の支持部２４は、一対の縦体２２から前方に向かって突出しており、左右方向に離れている。本実施形態の一対の支持部２４は、前後方向に直線状に延びて形成されている。
【００２６】
前側連結部２５は、一対の支持部２４の前側の端部（すなわち後述する前側支持部２４１の前端部）を連結する。前側連結部２５は、便器本体３の一部（本実施形態ではリム部３３）に当たるように構成されているため、支持部２４に対する便器本体３の前側への移動を規制する。また、前側連結部２５は、便器本体３の前側の端部を支持する。本実施形態の前側連結部２５は、上方から見て（以下、平面視）半円弧状に形成されており、一対の支持部２４に連続する。これにより、一対の支持部２４と前側連結部２５とは、平面視略Ｕ字状に形成されている。
【００２７】
一対の補強部８は、一対の支持部２４を、一対一に対応して支持する。すなわち、各補強部８は、対応する支持部２４を補強する。各補強部８は、一対の支持部２４のうちの対応する支持部２４と、一対の縦体２２のうちの対応する縦体２２とにわたって形成されており、この支持部２４と縦体２２とに固定される。これにより、各補強部８は、対応する縦体２２と支持部２４との相対的な位置関係を維持させる。本実施形態の各補強部８は、筋交い８１により構成されている。
【００２８】
各筋交い８１は、一対の縦体２２のうちの一方の縦体２２の下端部と、それに対応する支持部２４とを連結する。すなわち、左側に位置する筋交い８１は、左側に位置する縦体２２の下端部と、左側に位置する支持部２４（すなわち後述する後側支持部２４２）とを連結する。また、右側に位置する筋交い８１は、右側に位置する縦体２２の下端部と、右側に位置する支持部２４（すなわち後側支持部２４２）とを連結する。本実施形態の一対の筋交い８１は、一対の支持部２４を下方から支持するように構成されている。
【００２９】
本実施形態では、支持フレーム２は、図４に示すように、別体の前側フレーム２Ａと後側フレーム２Ｂとが連結されて、図２に示すような一体の支持フレーム２が構成されるものである。
【００３０】
図４に示すように、支持部２４は、別体の前側支持部２４１と後側支持部２４２とが連結されて構成されるものである。前側支持部２４１および後側支持部２４２は、前後方向に直線状に延びる。
【００３１】
前側フレーム２Ａは、図５Ａに示すように、前側支持部２４１と、前側連結部２５とを一体に備えている。前側支持部２４１は、前側連結部２５から後方に向かって突出するように、左右方向に間隔をあけて一対設けられ、便器本体３を直接支持する。
【００３２】
図５Ａに示す前側フレーム２Ａ、すなわち、前側支持部２４１および前側連結部２５は、図５Ｂに示すように、平坦な上面を含む角パイプにより一体に構成されている。
【００３３】
前側支持部２４１の後端部には、図５Ａ、図６Ａに示すように、前側固定部２４１Ａが設けられている。前側固定部２４１Ａは、図６Ａ、図６Ｂに示すように、前側固定部２４１Ａに左右方向に貫通する貫通孔２４１Ｂが設けられ、この貫通孔２４１Ｂに内部の雌ねじ２４１Ｃが通じるようにナット２４１Ｄが設けられて、構成されている。なお、本実施形態ではナット２４１Ｄにより雌ねじ２４１Ｃが形成されているが、図６Ｃに示すように、貫通孔２４１Ｂの内面に雌ねじ２４１Ｃが直接形成されてもよい。後側フレーム２Ｂは、図７Ａに示すように、後側支持部２４２と、補強部８と、固定体２１とを一体に備えている。
【００３４】
後側支持部２４２は、図７Ｂに示すように、縦片２４２Ａと、縦片２４２Ａの上下端部から内側に向けて突出する上横片２４２Ｂと下横片２４２Ｃとを備えている。後側支持部２４２には、前側支持部２４１が連結される状態で前側固定部２４１Ａに対応する位置に、後側固定部２４２Ｄが設けられている。後側固定部２４２Ｄは、後側支持部２４２に左右方向に貫通する貫通孔が設けられて構成される。
【００３５】
なお、本実施形態では、前側支持部２４１の前側固定部２４１Ａに雌ねじ２４１Ｃが設けられ、後側支持部２４２の後側固定部２４２Ｄに貫通孔が設けられているが、前側固定部２４１Ａに貫通孔が設けられ、後側固定部２４２Ｄに雌ねじが設けられてもよい。
【００３６】
（２．２）便器本体
便器本体３は、本実施形態の便器１の主体を形成する。便器本体３は、図８に示すように、支持フレーム２に支持され、これにより、トイレルームの壁面７０から突出した状態で取り付けられる。本実施形態の便器本体３は、ボウル部３１と、リム部３３と、便器後部３４と、トラップ部３５と、スカート３６とを備え、これらは合成樹脂により構成されている。
【００３７】
ボウル部３１は、ユーザーの排出する小便または大便を受ける部分である。ボウル部３１は、上面が開口した上開口部３１１と、トラップ部３５に通じる下開口部３１２と、突出片３２とを備えている。突出片３２は、ボウル部３１の上開口部３１１の開口周縁から、水平面に沿ってかつ外側に向かって突出している。突出片３２は、上開口部３１１の開口周縁の周方向の全長にわたって形成されており、フランジ状に形成されている。
【００３８】
リム部３３は、ボウル部３１の上開口部３１１の上方に載せられた状態で、ボウル部３１に溶着されている。リム部３３は、便座６１および便蓋６２を支持する。リム部３３は、図３Ｂに示すように、フランジ片３３１と、下内周部３３２と、上内周部３３３と、横面部３３６とを備えており、これらフランジ片３３１・下内周部３３２・上内周部３３３・横面部３３６は樹脂成型により一体成型されている。
【００３９】
フランジ片３３１は、ボウル部３１の突出片３２に溶着される。フランジ片３３１は、水平に延びている。フランジ片３３１の上面は、横面部３３６の下面に対し、支持部２４の上下方向の長さと略同じ寸法だけ下方に位置している。これにより、フランジ片３３１は、横面部３３６との間で支持部２４を挟むことができるように構成されている。
【００４０】
下内周部３３２は、フランジ片３３１の内側の端部から内側上方に向かって延びている。下内周部３３２は、断面において上方に凹となるように、湾曲している。下内周部３３２の内側の端部からは、上内周部３３３が上方に向かって延びている。
【００４１】
上内周部３３３は、図８に示すように、ボウル部３１の後方側の側壁の上方に位置する第一部３３４と、それ以外の側壁の上方に位置する第二部３３５とを備えている。第一部３３４と第二部３３５とは、図３Ａに示すように、平面視環状に形成されており、ボウル部３１の上開口部３１１の開口周縁に対応している。第一部３３４は、図８に示すように、ボウル部３１の後方側の側壁に対応する位置にある下内周部３３２の内側の端部から、鉛直上方に向かって延びている。第二部３３５は、下内周部３３２の内側の端部から、外側上方に向かって延びており、すなわち、上方に向かうほど外側に位置するように傾斜している。
【００４２】
横面部３３６は、第一部３３４および第二部３３５の上端部から水平面に沿ってかつ外側に向かって延びている。つまり、横面部３３６は、上内周部３３３の開口周縁の全長に亘って設けられている。横面部３３６のうち、左右方向の両側に位置する前後方向に延びた部分（つまり、一対の支持部２４に対応する部分）が、一対の載置部４を構成し、前側連結部２５に対応する部分が前置部４２を構成する。
【００４３】
また、リム部３３は、図３Ｂに示すように、横面部３３６と上内周部３３３と下内周部３３２とにわたって設けられた複数のリブ３３７を有している。複数のリブ３３７は、鉛直面に沿って延びており、図３Ａに示すように、ボウル部３１の上開口部３１１の開口周縁に沿う方向に一定の間隔を置いて配置されている。複数のリブ３３７は、一対の支持部２４および前側連結部２５に対応する位置に設けられている。したがって、支持フレーム２の一対の支持部２４の間にボウル部３１を配置した状態で、一対の支持部２４および前側連結部２５は、複数のリブ３３７に当たる。これにより、支持フレーム２によってボウル部３１が挟まれても、リブ３３７の補強作用によって、ボウル部３１が損傷したり過剰にたわんだりするのを防ぐことができる。
【００４４】
便器後部３４は、図８に示すように、ボウル部３１の後方上部に設けられている。便器後部３４は、局部洗浄装置などの機器を内部に収容する部分である。便器後部３４には、便蓋６２および便座６１が回動自在に取り付けられている。
【００４５】
トラップ部３５は、ボウル部３１の下開口部３１２に接続されており、封水を形成する。トラップ部３５は、封水を形成することで、臭気が排水管７２からボウル部３１側へ逆流したり、衛生害虫やねずみがボウル部３１側へ侵入したりするのを防ぐ。本実施形態のトラップ部３５は、いわゆるＳ字トラップにより構成されている。トラップ部３５は、上流側の端部がボウル部３１の下開口部３１２に接続され、下流側の端部が排水管７２に接続されるように構成される。ここで、排水管７２は、壁面７０に設けられている。排水管７２は、上流側の端部が室内に向かって開口しており、上流側の端部が下水管に通じている。
【００４６】
スカート３６は、ボウル部３１を外側から覆うように構成されている。スカート３６の上端は、リム部３３の横面部３３６の外周端部に、溶着により固定されている。スカート３６は、支持フレーム２がボウル部３１を支持した状態で、横面部３３６の外周端部に取り付けられると、支持フレーム２の外側を覆う。スカート３６は、上下方向に幅を有している。スカート３６は、平面視Ｕ字状に形成されており、上方、下方および後方に開放している。
【００４７】
便器本体３の製造について説明する。便器本体３は、図８に示すように、ボウル部３１と、リム部３３と、便器後部３４と、トラップ部３５と、スカート３６とを備える、合成樹脂により構成されるものである。このうち、便器後部３４を除くボウル部３１、リム部３３、トラップ部３５、スカート３６は、溶着により一体に形成される。便器後部３４は、一体に形成されるボウル部３１、リム部３３、トラップ部３５およびスカート３６とは別体として、後で組み合わされて、便器本体３が構成される。
【００４８】
ボウル部３１およびトラップ部３５は、射出成形等の成形時に一体に形成される。ボウル部３１およびトラップ部３５を有する部分と、リム部３３がそれぞれ射出成形により形成された後、図９Ａに示すように、例えば振動溶着等の溶着により、ボウル部３１およびトラップ部３５を有する部分と、リム部３３が固定される。本実施形態では、ボウル部３１の突出片３２と、リム部３３のフランジ片３３１とが、溶着により固定される。
【００４９】
その後、図９Ｂに示すように、横面部３３６と横面部３３６の下方に位置する横片（フランジ片３３１）との間の空間に、前側連結部２５が挿通される。本実施形態では、前側連結部２５だけでなく、前側支持部２４１の前部も同様に、横面部３３６と横片（フランジ片３３１）との間の空間に挿通されている。
【００５０】
その後、スカート３６がリム部３３に溶着により固定される（図３Ｂ参照）。これにより、前側支持部２４１の前部および前側連結部２５は、横面部３３６とスカート３６と横片（フランジ片３３１）とで囲まれる空間に挿通されることとなり、前側フレーム２Ａが組み込まれた便器本体３が構成される。前側フレーム２Ａが組み込まれた便器本体３のボウル部３１からは、前側支持部２４１が後方に向けて突出している。
【００５１】
なお、ボウル部３１およびトラップ部３５を有する部分、リム部３３、スカート３６の固定には、溶着の他、接着等が適宜採用可能であり、特に限定されない。
【００５２】
このような構成の便器本体３は、支持フレーム２の一対の支持部２４によって支持される。便器本体３には一対の載置部４が設けられており、支持部２４は、この一対の載置部４を支持する。本実施形態の一対の載置部４は、横面部３３６のうちの左右方向の両側に位置する部分からなる。
【００５３】
各載置部４は、図３Ｂに示すように、載置領域４１を含んでいる。載置領域４１は、載置部４が受けた上方からの荷重を、各支持部２４に対して与える領域である。つまり、各支持部２４は、載置領域４１を介して載置部４を支持し、この結果、各支持部２４は便器本体３を支持している。載置領域４１は、前後方向に延びており、その全長にわたって各支持部２４に支持される。これにより、各支持部２４には、便器本体３から掛かる荷重を、前後方向にわたった分布荷重として作用させることができる。
【００５４】
載置領域４１は、平坦な下面からなり、各支持部２４の上面に対して面状に接触している。なお、載置領域４１は、各支持部２４に対して本実施形態のように、接触することで直接的に支持されてもよいし、載置領域４１と各支持部２４との間に異音防止材を介在させて間接的に支持されてもよい。これについては、後述の「（３．４）その他の部分の変形例」で詳述する。
【００５５】
また、載置領域４１の幅は、各載置部４の幅の約１／３を占めている。また、載置領域４１は、前後方向に直交する断面において、各載置部４の幅方向の中央を含む位置に形成されている。このため、各載置部４の幅方向の全てに荷重が掛かった場合であっても、各載置部４の破損の発生を抑制できる。なお、載置領域４１の幅は、載置部４の幅の１／１０以上であれば、適切に載置部４の破損を抑制できるが、好ましくは１／３以上であり、より好ましくは、１／２以上である。
【００５６】
（２．３）便器本体の支持フレームへの取り付け
便器本体３の支持フレーム２への取り付けについて説明する。図１０に示すように、まず、壁面７０に後側フレーム２Ｂが取り付けられる。
【００５７】
次に、前側フレーム２Ａが組み込まれた便器本体３が取り付けられる。これにあたっては、後側フレーム２Ｂから前方に突出する一対の後側支持部２４２に、前方より、後方に突出する一対の前側支持部２４１が連結される。このとき、後側支持部２４２の内部に、前側支持部２４１が挿入される。図５Ｂに示す前側支持部２４１の幅Ｗ１は、図７Ｂに示す後側支持部２４２の内部の幅Ｗ２と同じかそれより小さく形成されるのが好ましいが、幅Ｗ１が幅Ｗ２よりも大きくてもよい。図５Ｂ示す前側支持部２４１の高さｈ１は、図７Ｂ示す後側支持部２４２の内部の高さｈ２（すなわち上横片２４２Ｂと下横片２４２Ｃの間隔）と同じかそれより所定長さ小さく形成される。このため、後側支持部２４２の内部に、前側支持部２４１が挿入された際、がたつきが発生しにくい。所定長さは、例えば１ｍｍ程度が挙げられるが、特に限定されない。前側支持部２４１の幅Ｗ１が後側支持部２４２の内部の幅Ｗ２に近く、かつ、前側支持部２４１の高さｈ１が後側支持部２４２の内部の高さｈ２に近いほど、前側支持部２４１の後側支持部２４２に対するがたつきが抑制される。
【００５８】
後側支持部２４２の後側固定部２４２Ｄ（貫通孔）よりボルトが挿入され、このボルトが前側支持部２４１の雌ねじ２４１Ｃにねじこまれて、後側支持部２４２と前側支持部２４１とが固定される。これにより、後側フレーム２Ｂに、便器本体３に組み込まれた前側フレーム２Ａが容易に固定されて、便器本体３の支持フレーム２への取り付けが容易に行われる。
【００５９】
このように、本実施形態の便器１にあっては、支持フレーム２が、縦面に固定される後側フレーム２Ｂと、後側フレーム２Ｂに連結されて便器本体３を支持する前側フレーム２Ａとに分割されている。これにより、便器本体３の支持フレーム２への取り付けの自由度が向上する。
【００６０】
特に、前側固定部２４１Ａが、横面部３３６とスカート３６と横片（フランジ片３３１）とで囲まれる空間に挿通されているような場合に効果が大きい。すなわち、本実施形態では、ボウル部３１、リム部３３、トラップ部３５およびスカート３６が一体となって便器本体３が構成される際、予め前側連結部２５が便器本体３に組み込まれる必要がある。
【００６１】
このとき、支持フレーム２が前側フレーム２Ａと後側フレーム２Ｂとに分割されていなければ、作業者は、便器本体３を持ち上げて支持フレーム２の縦面への固定を行わなければならない。本実施形態では、支持フレーム２が前側フレーム２Ａと後側フレーム２Ｂとに分割されているため、作業者は、支持フレーム２の壁面への固定を、便器本体３に組み込まれていない後側フレーム２Ｂのみで行えばよい。作業者は、便器本体３を持ち上げなくても支持フレーム２の壁面への固定を行うことができ、作業がしやすくなる。
【００６２】
（２．４）移動規制部
本実施形態の便器１は、移動規制部をさらに有している。移動規制部は、各支持部２４に対する載置領域４１の位置を保つように構成されており、支持フレーム２に支持された便器本体３のがたつきを防止する。本実施形態の移動規制部は、リム部３３に設けられた挟持部としてのフランジ片３３１を有する。載置部４が支持部２４により支持された状態で、フランジ片３３１は、この載置部４とで支持部２４を挟む。これによって、フランジ片３３１は、便器本体３の各支持部２４に対する載置部４の位置を保つように構成されている。
【００６３】
（２．５）その他の構成
便器１は、図８に示すように、便蓋６２と便座６１とを備えている。便座６１は、ユーザーが着座する際に使用される。便蓋６２は、便座６１を覆うように設けられており、便座６１がリム部３３上に載った状態において、便座６１の上方に配置される。便蓋６２と便座６１は、便器本体３の便器後部３４に回転自在に取り付けられている。
【００６４】
また、便器１は、局部洗浄装置を備えている。局部洗浄装置は、便器後部３４に収納されており、おしり洗浄機能やビデ機能を有している。
【００６５】
（３）変形例
以上の実施形態は本発明の一例に過ぎない。以下においては、本発明に係る技術思想の範囲における上記実施形態についての変形例を示す。
【００６６】
（３．１）支持フレームの変形例
（変形例１）
上記実施形態の支持フレーム２には、一対の補強部８として、一対の筋交い８１が設けられていたが、例えば、一対の補強部８は、図１１に示すような態様であってもよい（これを変形例１とする）。なお、本変形例においては、上記実施形態に対応する構成について、上記実施形態の構成と同じ符号を付した上で、符号の末尾に「ａ」を付記し、重複する説明は省略する。
【００６７】
変形例１の一対の補強部８ａの各々は、横補強体８２ａと、複数の縦補強体８３ａとを備えている。横補強体８２ａは、縦体２２ａの下端部から前方に向かって突出している。横補強体８２ａは前後方向に延びており、横補強体８２ａの長手方向は、支持部２４ａの長手方向に平行である。横補強体８２ａは、支持部２４ａと同様に、角パイプからなる。複数の縦補強体８３ａは、横補強体８２ａと、この横補強体８２ａに対応する支持部２４ａとを連結する。複数の縦補強体８３ａは、上下方向に延びており、前後方向に一定の間隔をおいて並んでいる。
【００６８】
また、横補強体８２ａおよび縦補強体８３ａは、支持部２４ａの下方に配置されている。これにより、変形例１の各補強部８ａは、支持部２４ａを下方から支持するように構成されている。
【００６９】
（その他の変形例）
また、上記実施形態の一対の支持部２４は、直線状に形成されていたが、便器本体３の載置部４の形状に合わせた形状であればよく、例えば、平面視曲面状に形成されていてもよい。
【００７０】
また、上記実施形態の一対の支持部２４は、中空の角パイプにより構成されたが、例えば、中実の角材であってもよく、また、断面Ｃ字状，断面Ｉ字状，断面Ｔ字状，断面Ｄ字状，断面Ｏ字状，断面Ｌ字状に形成されてもよい。また、各支持部２４は、載置部４の下面の略全面を支持するように構成されてもよい。
【００７１】
また、上記実施形態の横体２３は、固定板２３２の上下方向の両端に一対の補強片２３３が設けられて鉛直断面Ｃ字状に形成されていたが、例えば、固定板２３２の上下方向のいずれかの端部に補強片２３３が設けられて断面Ｌ字状に形成されてもよい。また、横体２３は、例えば、リップ溝形鋼により構成されてもよい。さらに、横体２３は、中空のパイプや角材により構成されてもよい。
【００７２】
（３．２）載置部の変形例
（変形例２−１）
上記実施形態の載置部４は、リム部３３の横面部３３６のうち、左右方向の両側に位置する部分により構成されていたが、例えば、図１２Ａに示すような態様であってもよい（これを変形例２−１とする）。なお、本変形例においては、上記実施形態に対応する構成について、上記実施形態の構成と同じ符号を付した上で、符号の末尾に「ｃ」を付記し、重複する説明は省略する。
【００７３】
変形例２−１の載置部４ｃは、リム部３３ｃのフランジ片３３１ｃにより構成される。フランジ片３３１ｃは、下内周部３３２ｃの下端部から水平面に沿って外側に突出している。また、載置領域４１ｃは、フランジ片３３１ｃの下面により構成される。なお、本変形例において、ボウル部３１ｃの上開口部３１１ｃの開口周縁には、突出片３２は設けられていない。
【００７４】
フランジ片３３１ｃは、ボウル部３１ｃの上開口部３１１ｃの左右方向の両側に対応する位置にのみ設けられてもよいし、上開口部３１１ｃの左右方向の両側と前側とに対応する位置に設けられてもよい。上開口部３１１ｃの前側に対応する位置にフランジ片３３１ｃが設けられる場合、当該フランジ片３３１ｃは、前側連結部２５により支持される。
【００７５】
（変形例２−２）
また、載置部４は、図１２Ｂに示すような態様であってもよい（これを変形例２−２とする）。なお、本変形例においては、上記実施形態に対応する構成について、上記実施形態の構成と同じ符号を付した上で、符号の末尾に「ｄ」を付記し、重複する説明は省略する。
【００７６】
変形例２−２の載置部４ｄは、ボウル部３１ｄの上開口部３１１ｄの開口周縁に設けられた突出片３２ｄにより構成される。載置領域４１ｄは、突出片３２ｄの下面により構成される。なお、突出片３２ｄは、ボウル部３１ｄの上開口部３１１ｄの左右方向の両側にのみ設けられてもよいし、上開口部３１１ｄの左右方向の両側と前側とに設けられてもよい。上開口部３１１ｄの前側に突出片３２ｄが設けられる場合、当該突出片３２ｄは、前側連結部２５により支持される。
【００７７】
（変形例２−３）
また、載置部４は、図１２Ｃに示すような態様であってもよい（これを変形例２−３とする）。なお、本変形例においては、上記実施形態に対応する構成について、上記実施形態の構成と同じ符号を付した上で、符号の末尾に「ｅ」を付記し、重複する説明は省略する。
【００７８】
変形例２−３の載置部４ｅは、スカート３６ｅからボウル部３１ｅ側に向かって突出した横板部３６１ｅにより構成される。横板部３６１ｅは、スカート３６ｅの内周面の全長にわたって連続している。また、横板部３６１ｅは、スカート３６ｅにおける支持部２４ｅの上面に対応する位置に設けられている。載置領域４１ｅは、横板部３６１ｅの下面の一部により構成されており、横板部３６１ｅの下面に含まれる。
【００７９】
本変形例においては、各横板部３６１ｅに、突出片３２ｅとフランジ片３３１ｅとが載っている。つまり、便器本体３ｅは、横板部３６１ｅ，突出片３２ｅおよびフランジ片３３１ｅとを介して、支持部２４ｅに支持されている。なお、突出片３２ｅおよびフランジ片３３１ｅは設けられなくてもよく、横板部３６１ｅだけで便器本体３ｅが支持されてもよい。
【００８０】
（３．３）移動規制部の変形例
（変形例３−１）
上記実施形態の移動規制部は、挟持部としてのフランジ片３３１により構成されていたが、例えば、図１３Ａに示すような態様であってもよい（これを変形例３−１とする）。なお、本変形例においては、上記実施形態に対応する構成について、上記実施形態の構成と同じ符号を付した上で、符号の末尾に「ｈ」を付記し、重複する説明は省略する。
【００８１】
変形例３−１の移動規制部は、ボウル部３１ｈの外面から水平面に沿って外側に突出した突出片３２ｈにより構成される。突出片３２ｈは、ボウル部３１ｈの開口周縁の左右方向の両側と前側とにわたって連続している。支持フレーム２ｈの一対の支持部２４ｈ（前側支持部２４１ｈの前部）および前側連結部２５ｈは、載置部４ｈとしての横面部３３６ｈと、突出片３２ｈとで挟まれる。つまり、本変形例においては、突出片３２ｈが挟持部に相当する。支持部２４ｈ（前側支持部２４１ｈの前部）および前側連結部２５ｈは、横面部３３６ｈとスカート３６ｈと横片（突出片３２ｈ）とで囲まれる空間に挿通される。
【００８２】
このように、本変形例の便器１によれば、便器本体３ｈの突出片３２ｈと横面部３３６ｈ（載置部４ｈ）とで、一対の支持部２４ｈを挟むことができるため、支持フレーム２ｈに対する載置領域４１ｈの前後方向，左右方向および上下方向への移動を抑制できる。これにより、支持フレーム２ｈに対する便器本体３ｈのがたつきを防止することができる。
【００８３】
（変形例３−２）
また、移動規制部は、例えば、図１３Ｂに示すような態様であってもよい（これを変形例３−２とする）。なお、本変形例においては、上記実施形態に対応する構成について、上記実施形態の構成と同じ符号を付した上で、符号の末尾に「ｉ」を付記し、重複する説明は省略する。
【００８４】
変形例３−２の移動規制部は、スカート３６ｉに設けられた横板部３６１ｉにより構成される。横板部３６１ｉは、スカート３６ｉの内面からボウル部３１ｉ側に向かって突出している。横板部３６１ｉは、スカート３６ｉの内周面の全長にわたって連続している。横板部３６１ｉは、スカート３６ｉにおける支持部２４ｉ（前側支持部２４１ｉの前部）および前側連結部２５ｉの下面に対応する位置に設けられている。一対の支持部２４ｉは、載置部４ｉとしての横面部３３６ｉと、横板部３６１ｉとで挟まれる。つまり、本変形例においては、横板部３６１ｉが挟持部に相当する。支持部２４ｉ（前側支持部２４１ｉの前部）および前側連結部２５ｉは、横面部３３６ｉとスカート３６ｉと横片（横板部３６１ｉ）とで囲まれる空間に挿通される。
【００８５】
このように、本変形例の便器によれば、便器本体３ｉにおいて横面部３３６ｉ（載置部４ｉ）と横板部３６１ｉとで、一対の支持部２４ｉを挟むことができるため、支持部２４ｉに対する載置領域４１ｉの前後方向，左右方向および上下方向への移動を抑制できる。これにより、支持フレーム２ｉに対する便器本体３ｉのがたつきを防止することができる。
【００８６】
（変形例４−１）
上記実施形態の移動規制部は、載置部４と挟持部とにより一対の支持部２４を挟むことで、各支持部２４に対する載置領域４１の位置を保持していたが、例えば、図１４Ａに示すような態様であってもよい（これを変形例４−１とする）。なお、本変形例においては、上記実施形態に対応する構成について、上記実施形態の構成と同じ符号を付した上で、符号の末尾に「ｊ」を付記し、重複する説明は省略する。
【００８７】
変形例４−１の移動規制部は、載置領域４１ｊと各支持部２４ｊ（前側支持部２４１ｊの前部）および前側連結部２５ｊとを相互に固定する固着体５６ｊにより構成される。本変形例の固着体５６ｊは、ねじ具により構成される。支持部２４ｊ（前側支持部２４１ｊの前部）および前側連結部２５ｊは、横面部３３６ｊとスカート３６ｊと横片（フランジ片３３１ｊ）とで囲まれる空間に挿通される。
【００８８】
リム部３３ｊの横面部３３６ｊには、下方に向かって突出するねじ座５１ｊが設けられている。ねじ座５１ｊには複数の雌ねじが設けられており、複数の雌ねじが支持部２４ｊの長さ方向に沿って所定の間隔をおいて配置されている。本変形例の載置領域４１ｊは、ねじ座５１ｊの下面により構成される。
【００８９】
支持部２４ｊにねじ座５１ｊが載った状態で、支持部２４ｊの下方からねじ具（固着体５６ｊ）を通し、ねじ座５１ｊに支持部２４ｊをねじ止めする。これにより、支持部２４ｊに対する載置領域４１ｊの前後方向，左右方向および上下方向への移動が抑制され、支持部２４ｊに対する載置領域４１ｊの位置が保持される。したがって、本変形例によれば、支持フレーム２ｊに対する便器本体３ｊのがたつきを防止することができる。
【００９０】
（変形例４−２）
変形例４−１の固着体５６ｊは、横面部３３６ｊと支持部２４ｊとを相互に固着するものであったが、例えば、図１４Ｂに示すような態様であってもよい（これを変形例４−２とする）。なお、本変形例においては、上記実施形態に対応する構成について、上記実施形態の構成と同じ符号を付した上で、符号の末尾に「ｋ」を付記し、重複する説明は省略する。
【００９１】
変形例４−２のリム部３３ｋは、フランジ片３３１ｋを有している。フランジ片３３１ｋには、複数の雌ねじが形成されている。複数の雌ねじは、フランジ片３３１ｋにおいて、支持部２４ｋの長さ方向に沿って所定のピッチで形成されている。載置領域４１ｋは、このフランジ片３３１ｋの下面により構成される。
【００９２】
支持部２４ｋにフランジ片３３１ｋが載った状態で、支持部２４ｋの下方からねじ具５６ｋを通し、フランジ片３３１ｋの雌ねじに支持部２４ｋをねじ止めする。これにより、支持部２４ｋに対する載置領域４１ｋの前後方向，左右方向および上下方向への移動が抑制され、支持部２４ｋに対する載置領域４１ｋの位置が保持される。したがって、本変形例によれば、支持フレーム２ｋに対する便器本体３ｋのがたつきを防止することができる。
【００９３】
（変形例４−３）
また固着体５６は、例えば、図１４Ｃに示すような態様であってもよい（これを変形例４−３とする）。なお、本変形例においては、上記実施形態に対応する構成について、上記実施形態の構成と同じ符号を付した上で、符号の末尾に「Ｌ」を付記し、重複する説明は省略する。
【００９４】
本変形例のリム部３３Ｌは、フランジ片３３１Ｌを有している。また、ボウル部３１Ｌは、上開口部３１１Ｌの開口周縁に設けられた突出片３２Ｌを有している。フランジ片３３１Ｌおよび突出片３２Ｌには、当該フランジ片３３１Ｌと突出片３２Ｌとを貫通する複数の雌ねじが形成されている。複数の雌ねじは、フランジ片３３１Ｌおよび突出片３２Ｌにおいて、支持部２４Ｌの長さ方向に沿って所定のピッチで配置されている。載置領域４１Ｌは、突出片３２Ｌの下面により構成される。
【００９５】
支持部２４Ｌに突出片３２Ｌが載った状態で、支持部２４Ｌの下方からねじ具５６Ｌを通し、突出片３２Ｌおよびフランジ片３３１Ｌの複数の雌ねじに支持部２４Ｌをねじ止めする。これにより、支持部２４Ｌに対する載置領域４１Ｌの前後方向，左右方向および上下方向への移動が抑制でき、支持部２４Ｌに対する載置領域４１Ｌの位置が保持される。したがって、本変形例によれば、支持フレーム２Ｌに対する便器本体３Ｌのがたつきを防止することができる。なお、フランジ片３３１Ｌおよび突出片３２Ｌのいずれか一方に雌ねじを形成し、他方において、雌ねじの同軸上にばか孔を形成してもよい。
【００９６】
（変形例４−４）
また固着体５６は、例えば、図１４Ｄに示すような態様であってもよい（これを変形例４−４とする）。なお、本変形例においては、上記実施形態に対応する構成について、上記実施形態の構成と同じ符号を付した上で、符号の末尾に「ｍ」を付記し、重複する説明は省略する。
【００９７】
変形例のスカート３６ｍには、スカート３６ｍの内面からボウル部３１ｍ側に突出した支持片３６１ｍが設けられる。支持片３６１ｍは、スカート３６ｍにおいて支持部２４ｍの上面に対応する位置に設けられている。支持片３６１ｍは、スカート３６ｍの内周面の全長にわたって連続している。本変形例において、載置部４ｍは支持片３６１ｍにより構成され、載置領域４１ｍは、支持片３６１ｍの下面に含まれる。
【００９８】
支持片３６１ｍには、複数の雌ねじが形成されている。複数の雌ねじは、支持片３６１ｍにおいて、支持部２４ｍの長さ方向に沿って所定のピッチで配置されている。
【００９９】
支持部２４ｍに支持片３６１ｍが載った状態で、支持部２４ｍの下方からねじ具５６ｍを通し、支持片３６１ｍの雌ねじに支持部２４ｍをねじ止めする。ここで、スカート３６ｍの上端部は、便器本体３ｍのリム部３３ｍに溶着により固定されている。このため、支持部２４ｍに対する載置領域４１ｍの前後方向，左右方向および上下方向への移動を抑制することで、支持部２４ｍに対する載置領域４１ｍの位置が保持される。したがって、本変形例によれば、支持フレーム２ｍに対する便器本体３ｍのがたつきを防止することができる。
【０１００】
（変形例４−５）
また固着体５６は、例えば、図１５Ａに示すような態様であってもよい（これを変形例４−５とする）。なお、本変形例においては、上記実施形態に対応する構成について、上記実施形態の構成と同じ符号を付した上で、符号の末尾に「ｎ」を付記し、重複する説明は省略する。
【０１０１】
変形例４−５の固着体５６ｎは、タッピングビスにより構成される。リム部３３ｎの横面部３３６ｎには、下方に向かって突出するねじ止め部５１ｎが設けられている。ねじ止め部５１ｎは、所定の厚みを有する。本変形例の載置領域４１ｎは、ねじ止め部５１ｎの下面により構成される。
【０１０２】
支持部２４ｎ（前側支持部２４１ｎの前部）および前側連結部２５ｎにねじ止め部５１ｎが載った状態で、支持部２４ｎの下方からタッピングビス（固着体５６ｎ）を通し、ねじ止め部５１ｎにねじ込んで、ねじ止めする。支持部２４ｎ（前側支持部２４１ｎの前部）および前側連結部２５ｎは、横面部３３６ｎとスカート３６ｎと横片（フランジ片３３１ｎ）とで囲まれる空間に挿通される。これにより、支持部２４ｎに対する載置領域４１ｎの前後方向，左右方向および上下方向への移動が抑制され、支持部２４ｎに対する載置領域４１ｎの位置が保持される。
【０１０３】
（変形例４−６）
また固着体５６は、例えば、図１５Ｂに示すような態様であってもよい（これを変形例４−６とする）。なお、本変形例においては、上記実施形態に対応する構成について、上記実施形態の構成と同じ符号を付した上で、符号の末尾に「ｏ」を付記し、重複する説明は省略する。
【０１０４】
変形例４−６の固着体５６ｏは、ボルトとナットとで構成される。リム部３３ｏのフランジ片３３１ｏには、上下方向に貫通する孔が設けられている。また、支持部２４ｏには、上下方向に貫通する貫通孔が設けられており、貫通孔は、フランジ片３３１ｏの孔に対応する位置に設けられる。本変形例の載置領域４１ｏは、フランジ片３３１ｏの下面により構成される。
【０１０５】
ボルトは、支持部２４ｏの下方から支持部２４ｏの孔とフランジ片３３１ｏの貫通孔に通された状態で、ボルトの先端にナットがねじ込まれ、締結される。これにより、支持部２４ｏに対するフランジ片３３１ｏの前後方向，左右方向および上下方向への位置ずれが防止され、支持部２４ｏに対する載置領域４１ｏの位置が保持される。
【０１０６】
（変形例５−１）
上記実施形態の移動規制部は、載置部４と挟持部とにより一対の支持部２４を挟むことで、各支持部２４に対する載置領域４１の位置を保持していたが、例えば、図１６Ａに示すような態様であってもよい（これを変形例５−１とする）。なお、本変形例においては、上記実施形態に対応する構成について、上記実施形態の構成と同じ符号を付した上で、符号の末尾に「ｐ」を付記し、重複する説明は省略する。
【０１０７】
変形例５−１の移動規制部は、突起部５２ｐにより構成されている。本変形例の突起部５２ｐは、横面部３３６ｐの下面において、支持部２４ｐ（前側支持部２４１ｐの前部）および前側連結部２５ｐの外縁に沿って突出する。突起部５２ｐは、図１７Ａに示すように、一対の支持部２４ｐおよび前側連結部２５ｐに沿って連続した突条であってもよいし、図１７Ｂに示すように、一対の支持部２４ｐにのみ沿って連続した突条であってもよい。また、突起部５２ｐは、図１８に示すように、複数の点状の突起により構成されてもよい。この複数の点状の突起は、横面部３３６ｐの下面において、支持部２４ｐの外縁に沿って一定の間隔をおいて断続的に形成されている。載置領域４１ｐは、横面部３３６ｐの下面の一部により構成され、横面部３３６ｐに含まれる。支持部２４ｐ（前側支持部２４１ｐの前部）および前側連結部２５ｐは、横面部３３６ｐとスカート３６ｐと横片（フランジ片３３１ｐ）とで囲まれる空間に挿通される。
【０１０８】
便器本体３ｐの載置領域４１ｐが支持部２４ｐに載ると、図１８Ａに示すように、各支持部２４ｐの左右方向の両側に突起部５２ｐが位置する。これにより、支持部２４ｐに対する載置領域４１ｐの、少なくとも左右方向の相対的な移動が規制され、支持部２４ｐに対する載置領域４１ｐの位置が保持される。
【０１０９】
また、突起部５２ｐが前側連結部２５に対応する位置にも設けられる場合には、支持部２４ｐに対する載置領域４１ｐの前後方向の移動も規制することができる。
【０１１０】
（変形例５−２）
変形例５−２の突起部５２ｐは、各支持部２４ｐの左右方向の両側に設けられていたが、例えば、図１６Ｂに示すような態様であってもよい（これを変形例５−２とする）。なお、本変形例においては、上記実施形態に対応する構成について、上記実施形態の構成と同じ符号を付した上で、符号の末尾に「ｑ」を付記し、重複する説明は省略する。
【０１１１】
本変形例の突起部５２ｑは、各支持部２４ｑ（前側支持部２４１ｑの前部）および前側連結部２５ｑの左右両側の外縁のうち、外側に位置する外縁に沿って設けられている。この突起部５２ｑは、変形例５−１と同様に、一対の支持部２４ｑに対応する箇所にのみ設けられてもよいし、一対の支持部２４ｑおよび前側連結部２５ｑに対応する箇所に設けられてもよい。また、突起部５２ｑは、突条により構成されてもよいし、複数の点状の突起により構成されてもよい。載置領域４１ｑは、横面部３３６ｑの下面の一部により構成される。支持部２４ｑ（前側支持部２４１ｑの前部）および前側連結部２５ｑは、横面部３３６ｑとスカート３６ｑと横片（フランジ片３３１ｑ）とで囲まれる空間に挿通される。
【０１１２】
便器本体３ｑの載置領域４１ｑが支持部２４ｑに載ると、各支持部２４ｑの外側の外縁に沿って突起部５２ｑが位置する。これにより、支持部２４ｑに対する載置領域４１ｑの、少なくとも左右方向の相対的な移動が規制され、支持部２４ｑに対する載置領域４１ｑの位置が保持される。
【０１１３】
また、突起部５２ｑが前側連結部２５に対応する位置にも設けられる場合には、支持部２４ｑに対する載置領域４１ｑの前後方向の移動も規制することができる。
【０１１４】
（変形例５−３）
変形例５−１の突起部５２ｐは、横面部３３６ｐに設けられていたが、例えば、図１９Ａに示すような態様であってもよい（これを変形例５−３とする）。なお、本変形例においては、上記実施形態に対応する構成について、上記実施形態の構成と同じ符号を付した上で、符号の末尾に「ｒ」を付記し、重複する説明は省略する。
【０１１５】
変形例５−３の突起部５２ｒは、ボウル部３１ｒの突出片３２ｒから、各支持部２４ｒ（前側支持部２４１ｒの前部）および前側連結部２５ｒの外縁に沿って突出している。突起部５２ｒは、突出片３２の上面から上方に突出している。支持部２４ｒの内側の側面は、リブ３３７ｒの端面に当たっている。支持部２４ｒ（前側支持部２４１ｒの前部）および前側連結部２５ｒは、横面部３３６ｒとスカート３６ｒと横片（突出片３２ｒ）とで囲まれる空間に挿通される。
【０１１６】
便器本体３ｒの載置領域４１ｒが支持部２４ｒに載ると、各支持部２４ｒの外側の外縁に沿って突起部５２ｒが位置する。これにより、支持部２４ｒに対する載置領域４１ｒの、少なくとも左右方向の相対的な移動が規制され、支持部２４ｒに対する載置領域４１ｒの位置が保持される。
【０１１７】
また、突起部５２ｒが前側連結部２５に対応する位置にも設けられる場合には、支持部２４ｒに対する載置領域４１ｒの前後方向の移動も規制することができる。
【０１１８】
（変形例５−４）
変形例５−１の突起部５２ｐは、横面部３３６ｐに設けられていたが、図１９Ｂに示すような態様であってもよい（これを変形例５−４とする）。なお、本変形例においては、上記実施形態に対応する構成について、上記実施形態の構成と同じ符号を付した上で、符号の末尾に「ｓ」を付記し、重複する説明は省略する。
【０１１９】
変形例５−４の突起部５２ｓは、スカート３６ｓに設けられた支持片３６１ｓの先端に設けられる。支持片３６１ｓは、スカート３６ｓにおいて支持部２４ｓ（前側支持部２４１ｓの前部）および前側連結部２５ｓの下面に対応する位置に設けられている。支持片３６１ｓは、スカート３６ｓの内周面の全長にわたって設けられている。突起部５２ｓは、支持片３６１ｓにおいて、各支持部２４ｓの両側の外縁のうちの内側の外縁に沿って突出している。支持部２４ｓ（前側支持部２４１ｓの前部）および前側連結部２５ｓは、横面部３３６ｓとスカート３６ｓと横片（支持片３６１ｓ）とで囲まれる空間に挿通される。
【０１２０】
便器本体３ｓの載置領域４１ｓが支持部２４ｓに載ると、各支持部２４ｓの外側の外縁に沿って突起部５２ｓが位置する。これにより、支持部２４ｓに対する載置領域４１ｓの、少なくとも左右方向の相対的な移動が規制され、支持部２４ｓに対する載置領域４１ｓの位置が保持される。
【０１２１】
また、突起部５２ｓが前側連結部２５に対応する位置にも設けられる場合には、支持部２４ｓに対する載置領域４１ｓの前後方向の移動も規制することができる。
【０１２２】
（変形例６）
移動規制部は、図２０に示すような態様であってもよい（これを変形例６とする）。なお、本変形例においては、上記実施形態に対応する構成について、上記実施形態の構成と同じ符号を付した上で、符号の末尾に「ｔ」を付記して、重複する説明は省略する。
【０１２３】
変形例６の移動規制部は、前側連結部２５ｔと、後側連結部２７ｔを有している。後側連結部２７ｔは、長手方向の途中で分断されている。後側連結部２７ｔは、分断された部分がねじ具で連結されている。なお、後側連結部２７ｔの分断された部分の構造は、前側連結部２５ｔの分断された部分の構造と同じ構造であるため、説明は省略する。
【０１２４】
なお、上記実施形態の後側連結部２７ｔは、左右方向に直線状に形成されたが、本変形例の後側連結部２７ｔは、ボウル部３１ｔの後壁に沿って湾曲している。
【０１２５】
このように、本変形例の移動規制部は、一対の支持部２４ｔの間に後述のボウル部３１ｔが入った状態で、前側連結部２５ｔの分断された部分と、後側連結部２７ｔの分断された部分とがねじ具で連結されると、ボウル部３１ｔが一対の支持部２４ｔで挟まれる。この結果、支持フレーム２ｔとボウル部３１ｔとの左右方向の隙間がなくなり、支持フレーム２ｔに対する便器本体３ｔの左右方向の移動が規制される。
【０１２６】
（変形例７−１）
移動規制部は、図２１に示すような態様であってもよい（これを変形例７−１とする）。なお、本変形例においては、上記実施形態に対応する構成について、上記実施形態の構成と同じ符号を付した上で、符号の末尾に「ｕ」を付記し、重複する説明は省略する。
【０１２７】
変形例７−１の移動規制部は、係止部５４ｕと、被係止部５５ｕとを有している。係止部５４ｕは、載置部４ｕとしての横面部３３６ｕに設けられている。係止部５４ｕは、載置領域４１ｕに相当する部分に配置されており、すなわち、係止部５４ｕは載置領域４１ｕ内に設けられている。係止部５４ｕは、横面部３３６ｕの載置領域４１ｕ内の部分から下方に向かって突出している。係止部５４ｕは、第１の径を有する軸状部５４１ｕと、第１の径よりも大きい第２の径を有する膨大部５４２ｕとを有している。
【０１２８】
被係止部５５ｕは、各支持部２４ｕに設けられている。被係止部５５ｕは、いわゆるだるま孔により構成されている。被係止部５５ｕは、支持部２４ｕの長手方向に沿って、第一孔５５１ｕと第二孔５５２ｕとが並んでおり、第一孔５５１ｕと第二孔５５２ｕとが互いに繋がっている。第一孔５５１ｕは、膨大部５４２ｕの径（第２の径）よりも大きく形成されている。第二孔５５２ｕは、第２の径よりも小さくかつ第１の径よりも大きく形成されている。
【０１２９】
被係止部５５ｕに係止部５４ｕを引っ掛けるには、次のようにして行う。第一孔５５１ｕに係止部５４ｕを挿入し、支持部２４ｕに横面部３３６ｕを載せる。この状態で、横面部３３６ｕを第二孔５５２ｕ側に向かって（前向きに）移動させると、係止部５４ｕと被係止部５５ｕとが互いに係り合う。
【０１３０】
係止部５４ｕと被係止部５５ｕとが係り合った状態の便器１は、支持部２４ｕに対する載置領域４１ｕの左右方向の相対的な移動が規制され、支持部２４ｕに対する載置領域４１ｕの位置が保持される。なお、本変形例の第一孔５５１ｕは、第二孔５５２ｕの後方に配置されたが、第二孔５５２ｕの前方に配置されてもよい。また、第一孔５５１ｕと第二孔５５２ｕとの位置関係は、前後方向に並ぶ態様に限らず、左右方向に並んでいてもよい。
【０１３１】
（変形例７−２）
変形例７−１の移動規制部は、係止部５４ｕおよび被係止部５５ｕにより構成されたが、係止部５４ｕおよび被係止部５５ｕは例えば、図２２に示すような態様であってもよい（これを変形例７−２とする）。なお、本変形例においては、上記実施形態に対応する構成について、上記実施形態の構成と同じ符号を付した上で、符号の末尾に「ｖ」を付記し、重複する説明は省略する。
【０１３２】
本変形例の係止部５４ｖは、Ｌ字状の係止爪５４０ｖにより構成されている。係止爪５４０ｖは、その先端が前向きに延びている。被係止部５５ｖは、矩形状の貫通孔５５０ｖにより構成されている。貫通孔５５０ｖには、係止爪５４０ｖが挿通可能に構成されている。
【０１３３】
被係止部５５ｖに係止部５４ｖを引っ掛けるには、次のようにして行う。貫通孔５５０ｖに係止爪５４０ｖを挿入し、支持部２４ｖに横面部３３６ｖを載せる。この状態で、横面部３３６ｖを前向きに移動させると、係止爪５４０ｖと貫通孔５５０ｖとが互いに係り合う。これにより、支持部２４ｖに対する載置領域４１ｖの左右方向の相対的な移動が規制され、支持部２４ｖに対する載置領域４１ｖの位置が保持される。なお、本変形例の係止爪５４０ｖの先端は、前向きに延びていたが、例えば、後向きや左右方向のいずれか向かってに延びてもよい。
【０１３４】
（３．４）その他の部分の変形例
（変形例８−１）
上記実施形態では、各支持部２４と載置領域４１とは直接接触していたが、例えば、図２３Ａのように、各支持部２４と載置領域４１との間に異音防止材が設けられてもよい（これを変形例８−１とする）。なお、本変形例においては、上記実施形態に対応する構成について、上記実施形態の構成と同じ符号を付した上で、符号の末尾に「ｗ」を付記し、重複する説明は省略する。
【０１３５】
変形例８−１の異音防止材９ｗは、支持部２４ｗ（前側支持部２４１ｗの前部）および前側連結部２５ｗと載置領域４１ｗとの間と、支持部２４ｗとフランジ片３３１ｗとの間とに設けられている。支持部２４ｗ（前側支持部２４１ｗの前部）および前側連結部２５ｗは、横面部３３６ｗとスカート３６ｗと横片（フランジ片３３１ｗ）とで囲まれる空間に挿通される。異音防止材９ｗには、例えば、ゴムや、テフロン（登録商標）や合成樹脂等からなる低摩擦テープが用いられる。
【０１３６】
本変形例においては、支持部２４ｗと載置領域４１ｗとの間と、支持部２４ｗとフランジ片３３１ｗとの間に異音防止材９ｗが介在しているため、横面部３３６ｗに下方への外力が掛かっても、支持部２４ｗと便器本体３ｗが擦れて、異音が発生するのを抑制できる。
【０１３７】
（変形例８−２）
変形例８−１では、支持部２４ｗと載置領域４１ｗとの間と、支持部２４ｗとフランジ片３３１ｗとの間に異音防止材９ｗが設けられていたが、異音防止材９ｗは、例えば、図２３Ｂの位置に設けられてもよい（これを変形例８−２とする）。なお、本変形例においては、上記実施形態に対応する構成について、上記実施形態の構成と同じ符号を付した上で、符号の末尾に「ｘ」を付記し、重複する説明は省略する。
【０１３８】
変形例８−２の異音防止材９ｘは、支持部２４ｘ（前側支持部２４１ｘの前部）および前側連結部２５ｘと載置領域４１ｘとの間にのみ設けられている。支持部２４ｘ（前側支持部２４１ｘの前部）および前側連結部２５ｘは、横面部３３６ｘとスカート３６ｘと横片（フランジ片３３１ｘ）とで囲まれる空間に挿通される。これにより、支持部２４ｘと便器本体３ｘとの最も強く擦れる部分に異音防止材９ｘが設けられるため、最小限の異音防止材９ｘで、大きな異音が発生するのを抑制できる。
【０１３９】
（変形例９）
上記実施形態のトラップ部３５は、いわゆるＳ字トラップであったが、例えば、図２４に示すように、電動式のトラップ装置が用いられてもよい。なお、本変形例においては、上記実施形態に対応する構成について、上記実施形態の構成と同じ符号を付した上で、符号の末尾に「ｙ」を付記し、重複する説明は省略する。
【０１４０】
変形例９のトラップ部３５ｙは、後端が上下方向に移動可能なトラップ筒３５１ｙと、トラップ筒３５１ｙを駆動する駆動部３５２ｙと、トラップ筒３５１ｙを収容するケース３５３ｙとを備える。トラップ筒３５１ｙは、後端が上方に向くと、封水が形成可能となり、後端が下方に向くと排水できるように構成される。駆動部３５２ｙの駆動源は、例えばモータである。
【０１４１】
トラップ部３５ｙの下端は、スカート３６ｙの下端よりも上方に位置している。これにより、本変形例のトラップ部３５ｙは、スカート３６ｙの内部に収容される。電動式のトラップ部は、本実施形態のようなＳ字トラップに比べて重量が大きくなるが、支持フレーム２ｙによって壁面７０に強固に固定されているため、がたつくことなく、便器本体３ｙを支持することができる。
【０１４２】
（４）応用例
上記実施形態の縦面は、トイレルームの壁面７０により構成されていたが、例えば、キャビネットなどの箱体の前面により構成されてもよく、縦面は壁面７０に限定されない。また、上記実施形態の固定体２１は壁面７０に固定されるが、固定体２１は、縦面に対して移動しないように取り付けられていればよい。例えば、支持フレーム２が壁パネルに取り付けられる場合、壁パネルの裏側にフレームを配置し、当該フレームと支持フレーム２とを連結することで、壁パネルに支持フレーム２を取り付けてもよい。これにより、壁面７０（壁パネルの前面）に対し、固定体２１を移動しないように、強固に取り付けることができる。なお、壁の剛性が高い場合には、支持フレーム２を壁に直接取り付けてもよい。
【０１４３】
上記実施形態の前側支持部２４１は、図５Ｂに示すように、平坦な上面を含む角パイプにより構成されているが、前側支持部２４１の断面形状は、Ｔ字状、または、転倒したＨ字状、または、転倒したＬ字状等、特に限定されない。なお、前側支持部２４１は平坦な上面を有することが好ましい。
【０１４４】
上記実施形態の後側支持部２４２は、図７Ｂに示すような形状をしているが、後側支持部２４２は、内部に前側支持部２４１が挿入可能な角パイプにより構成されてもよく、形状は特に限定されない。
【０１４５】
上記実施形態の載置領域４１は、左右方向に沿った断面において、各支持部２４の上面のすべてに接触しているが、支持部２４の上面の一部にのみ接触するような態様であってもよい。例えば、横面部３３６の一部に、載置領域４１を形成する下方に突出する部分を設け、この突出する部分の下面が、断面において、支持部２４の上面の一部に載るような態様が挙げられる。
【０１４６】
また、各載置部４は各支持部２４に対して、前後方向に延びた少なくとも１つの載置領域４１を介して支持されていればよく、載置領域４１の数量は限定されない。例えば、各載置部４は、１つの支持部２４に対して、複数の載置領域４１を介して支持されていてもよい。
【０１４７】
上記実施形態の一対の支持部２４は、前側連結部２５により連結されていたが、この前側連結部２５はなくてもよい。すなわち、支持体２０として、一対の支持部２４の先端部が互いに連結されていなくてもよいし、上記実施形態のように一対の支持部２４の先端同士が互いに連結されていてもよい。
【０１４８】
上記実施形態の便器本体３は、合成樹脂により形成されていたが、例えば、薄い金属板により形成されてもよく、便器本体３の材質は限定されない。
【０１４９】
また、上記実施形態の便器１は、ユーザーが便座６１に着座可能な、いわゆる洋式の便器であったが、例えば、男性の小便用の便器に適用してもよい。この場合においても、縦面に支持フレームを固定し、便器本体を支持フレームに支持させるようにして構成される。男性の小便用の便器に適用することで、例えば、ユーザーが便器に手を掛けた際の外力に対して強くすることができる。
【０１５０】
実施形態と各変形例とで説明した構成は、適宜組み合わせて適用可能である。
【０１５１】
（５）効果
以上述べた実施形態および変形例から明らかなように、本発明に係る第１の形態の便器１は、便器本体３と、便器本体３を縦面に取り付ける支持フレーム２とを備える。支持フレーム２は、縦面に固定される後側フレーム２Ｂと、後側フレーム２Ｂに連結されて便器本体３を支持する前側フレーム２Ａと、を有する。後側フレーム２Ｂは、縦面に固定される固定体２１と、固定体２１から前方に向かって突出する左右方向に離れた一対の後側支持部２４２とを有する。前側フレーム２Ａは、便器本体３を支持し、後方に向かって突出する一対の前側支持部２４１と、前側支持部２４１を連結する前側連結部２５と、を有する。一対の前側支持部２４１は一対の後側支持部２４２に連結されている。
【０１５２】
第１の形態の便器１によれば、支持フレーム２が、縦面に固定される後側フレーム２Ｂと、後側フレーム２Ｂに連結されて便器本体３を支持する前側フレーム２Ａとに分割されている。これにより、便器本体３の支持フレーム２への取り付けの自由度が向上する。
【０１５３】
本発明に係る第１の態様の便器１は、以下の付加的な第２〜７の形態を有する。
【０１５４】
本発明に係る第２の形態の便器１では、第１の形態において、便器本体３は、上面が開口するボウル部３１、ボウル部３１の上端部に設けられフランジ状をした横面部３３６を有するリム部３３と、リム部３３に接続されボウル部３１の側方を覆うスカート３６と、横面部３３６の下方に位置する横片と、を一体に有する。前側固定部２４１Ａは、横面部３３６とスカート３６と横片とで囲まれる空間に挿通されていることを特徴とする。
【０１５５】
この第２の形態の便器１によれば、ボウル部３１、リム部３３およびスカート３６が一体となって便器本体３が構成される際、予め前側連結部２５が便器本体３に組み込まれる必要がある。支持フレーム２が前側フレーム２Ａと後側フレーム２Ｂとに分割されているため、支持フレーム２の壁面への固定は、便器本体３に組み込まれていない後側フレーム２Ｂのみで行われればよい。作業者は、便器本体３を持ち上げなくても支持フレーム２の壁面への固定を行うことができ、作業がしやすくなる。
【０１５６】
本発明に係る第３の形態の便器１では、第１または第２の形態において、一対の前側支持部２４１の各々の上面が平坦であることを特徴とする。この第３の形態の便器１によれば、便器本体３の載置領域４１を平坦にするという簡略な構成で、支持部２４と載置領域４１との面接触を実現できる。
【０１５７】
本発明に係る第４の形態の便器１では、第１〜第３のいずれかの形態において、以下の構成を備えることを特徴とする。すなわち、支持フレーム２は、一対の後側支持部２４２を一対一で対応して補強する一対の補強部８を備える。一対の補強部８の各々は、一対の後側支持部２４２のうちの対応する後側支持部２４２と固定体２１とにわたって形成される。この第４の形態の便器１によれば、支持フレーム２の強度および剛性を向上させることができ、便器本体３から支持部２４に掛かる荷重や支持部２４から載置部４に係る反力によって便器１が変形したり破壊したりするのを抑制できる。
【０１５８】
本発明に係る第５の形態の便器１では、第４の形態において、一対の補強部８の各々は、対応する後側支持部２４２と固定体２１とを連結した筋交い８１であることを特徴とする。この第５の形態の便器１によれば、筋交い８１という簡略な構造で補強部８を実現できる。
【０１５９】
本発明に係る第６の形態の便器１では、第１〜５のいずれかの形態において、前側支持部２４１は、平坦な上面を含む角パイプにより構成される。後側支持部２４２は、縦片２４２Ａと、縦片２４２Ａの上下端部から突出する上横片２４２Ｂおよび下横片２４２Ｃを備える。前側支持部２４１の高さｈ１が、上横片２４２Ｂと下横片２４２Ｃの間隔と同じかそれより所定長さ小さく形成されることを特徴とする。この第６の形態の便器１によれば、後側支持部２４２の内部に前側支持部２４１が挿入された際、がたつきが発生しにくい。
【０１６０】
本発明に係る第７の形態の便器１では、第１〜６のいずれかの形態において、前側支持部２４１に前側固定部２４１Ａが設けられ、後側支持部２４２に後側固定部２４２Ｄが設けられる。前側固定部２４１Ａと後側固定部２４２Ｄは、一方が雌ねじを有し、他方が貫通孔を有する。前記貫通孔を挿通するボルトが前記雌ねじに締結されていることを特徴とする。この第７の形態の便器１によれば、後側フレーム２Ｂに前側フレーム２Ａが容易に固定される。
【符号の説明】
【０１６１】
１    便器
２    支持フレーム
２Ａ  前側フレーム
２Ｂ  後側フレーム
２１  固定体
２４１  前側支持部
２４１Ａ  前側固定部
２４２  後側支持部
２４２Ａ  縦片
２４２Ｂ  上横片
２４２Ｃ  下横片
２４２Ｄ  後側固定部
２５  前側連結部
３    便器本体
３１  ボウル部
３３  リム部
３３６  横面部
３６  スカート
８    補強部
８１  筋交い
【図１】
0006765067.tif 000002
【図２】
0006765067.tif 000003
【図３】
0006765067.tif 000004
【図４】
0006765067.tif 000005
【図５】
0006765067.tif 000006
【図６】
0006765067.tif 000007
【図７】
0006765067.tif 000008
【図８】
0006765067.tif 000009
【図９】
0006765067.tif 000010
【図１０】
0006765067.tif 000011
【図１１】
0006765067.tif 000012
【図１２】
0006765067.tif 000013
【図１３】
0006765067.tif 000014
【図１４】
0006765067.tif 000015
【図１５】
0006765067.tif 000016
【図１６】
0006765067.tif 000017
【図１７】
0006765067.tif 000018
【図１８】
0006765067.tif 000019
【図１９】
0006765067.tif 000020
【図２０】
0006765067.tif 000021
【図２１】
0006765067.tif 000022
【図２２】
0006765067.tif 000023
【図２３】
0006765067.tif 000024
【図２４】
0006765067.tif 000025